(57)【要約】【課題】この発明は、同じネットワークシステムに接続されたデジタル放送受信機に対して、容易な操作で所望のチャンネルを選局させることができ、ユーザにとっての操作性を向上させ得る放送受信装置及び放送受信方法を提供することを目的としている。【解決手段】デジタルインターフェース（３３，３４，３９）を介して制御可能に接続された放送受信機能を有する複数のデジタル機器（３６，３７）の中から、機器選択メニュー（５１ａ〜５１ｄ，Ｓ２）に基づいて選択されたデジタル機器（３６，３７）に、番号入力メニュー（５２ａ，５２ｂ，Ｓ３）に基づいて入力された番号のチャンネルを選局させる。【選択図】    図５
2005117335.tif 000002
【特許請求の範囲】
【請求項１】
放送信号を受信する受信手段と、
前記受信手段で受信された放送信号から映像信号または音声信号を復元する信号処理手段と、
前記信号処理手段で復元された映像信号または音声信号を外部に出力する出力手段と、
デジタルインターフェースを介して放送受信機能を有するデジタル機器に制御可能に接続される接続手段と、
前記接続手段により接続されたデジタル機器を選択するための機器選択メニューを表示する機器選択メニュー表示手段と、
前記機器選択メニューに基づいて選択されたデジタル機器に選局させるチャンネルの番号を入力するための番号入力メニューを表示する番号入力メニュー表示手段と、
前記機器選択メニューに基づいて選択されたデジタル機器に、前記番号入力メニューに基づいて入力された番号のチャンネルを選局させる制御手段とを具備したことを特徴とする放送受信装置。
【請求項２】
前記番号入力メニューは、
予め表示された複数の数字から所定の数字を選択するための数字選択操作メニューと、
前記数字選択操作メニューに基づいて選択された数字をチャンネルの番号として決定するための番号決定操作メニューとを含むことを特徴とする請求項１記載の放送受信装置。
【請求項３】
前記機器選択メニューに基づいて選択されたデジタル機器が選局しているチャンネルを表示するチャンネル表示手段を具備したことを特徴とする請求項１または２記載の放送受信装置。
【請求項４】
放送信号を受信する受信手段と、
前記受信手段で受信された放送信号から映像信号または音声信号を復元する信号処理手段と、
前記信号処理手段で復元された映像信号または音声信号を外部に出力する出力手段と、
デジタルインターフェースを介して放送受信機能を有するデジタル機器に制御可能に接続される接続手段と、
前記接続手段により接続されたデジタル機器が所定のチャンネルを選局している受信状態で、そのデジタル機器を特定する情報とその選局しているチャンネルを示す情報とを、予め用意された複数の登録欄に選択的に登録するための登録メニューを表示する登録メニュー表示手段と、
前記登録メニューに基づいて登録済となった登録欄から所定の登録欄を番号によって選択するための登録欄選択メニューを表示する登録欄選択メニュー表示手段と、
前記登録欄選択メニューに基づいて選択された登録欄に登録されたデジタル機器に、登録されたチャンネルを選局させる制御手段とを具備したことを特徴とする放送受信装置。
【請求項５】
前記登録メニューは、
それぞれに番号が付されて識別される複数の登録欄から所定の登録欄を選択するための登録欄選択操作メニューと、
前記登録欄選択操作メニューに基づいて選択された登録欄に、受信状態となされている前記デジタル機器を特定する情報とその選局しているチャンネルを示す情報とを登録するための情報登録操作メニューとを含むことを特徴とする請求項４記載の放送受信装置。
【請求項６】
前記登録欄選択メニューは、
予め表示された複数の数字から所定の数字を選択するための数字選択操作メニューと、
前記数字選択操作メニューに基づいて選択された数字を登録欄の番号として決定するための番号決定操作メニューとを含むことを特徴とする請求項４または５記載の放送受信装置。
【請求項７】
全ての前記登録欄に対する登録内容の削除を要求するための削除メニューを表示する削除メニュー表示手段と、
前記削除メニューに基づいて削除が要求された状態で、全ての前記登録欄に対する登録内容を一括削除する削除制御手段とを具備したことを特徴とする請求項４乃至６いずれかに記載の放送受信装置。
【請求項８】
前記登録欄選択メニューに基づいて選択されたデジタル機器が選局しているチャンネルを表示するチャンネル表示手段を具備したことを特徴とする請求項４乃至７いずれかに記載の放送受信装置。
【請求項９】
放送信号を受信する受信手段と、
前記受信手段で受信された放送信号から映像信号または音声信号を復元する信号処理手段と、
前記信号処理手段で復元された映像信号または音声信号を外部に出力する出力手段と、
デジタルインターフェースを介して放送受信機能を有するデジタル機器に制御可能に接続される接続手段と、
前記接続手段により接続されたデジタル機器を選択するための機器選択メニューを表示する機器選択メニュー表示手段と、
前記機器選択メニューに基づいて選択されたデジタル機器に選局させるチャンネルの番号を入力するための番号入力メニューを表示する番号入力メニュー表示手段と、
前記機器選択メニューに基づいて選択されたデジタル機器に、前記番号入力メニューに基づいて入力された番号のチャンネルを選局させる第１の選局制御手段と、
前記第１の選局制御手段の制御に基づいてデジタル機器が所定のチャンネルを選局している受信状態で、そのデジタル機器を特定する情報とその選局しているチャンネルを示す情報とを、予め用意された複数の登録欄に選択的に登録するための登録メニューを表示する登録メニュー表示手段と、
前記登録メニューに基づいて登録済となった登録欄から所定の登録欄を番号によって選択するための登録欄選択メニューを表示する登録欄選択メニュー表示手段と、
前記登録欄選択メニューに基づいて選択された登録欄に登録されたデジタル機器に、登録されたチャンネルを選局させる第２の選局制御手段とを具備したことを特徴とする放送受信装置。
【請求項１０】
放送信号を受信する工程と、
受信された放送信号から映像信号または音声信号を復元する工程と、
復元された映像信号または音声信号を外部に出力する工程と、
デジタルインターフェースを介して制御可能に接続された放送受信機能を有するデジタル機器を選択するための機器選択メニューを表示する工程と、
選択されたデジタル機器に選局させるチャンネルの番号を入力するための番号入力メニューを表示する工程と、
前記機器選択メニューに基づいて選択されたデジタル機器に、前記番号入力メニューに基づいて入力された番号のチャンネルを選局させる工程とを具備したことを特徴とする放送受信方法。
【請求項１１】
前記番号入力メニューによるチャンネルの番号の入力は、
予め表示された複数の数字から所定の数字を選択するための数字選択操作メニューを表示する工程と、
前記数字選択操作メニューに基づいて選択された数字をチャンネルの番号として決定するための番号決定操作メニューを表示する工程とを備えることを特徴とする請求項１０記載の放送受信方法。
【請求項１２】
放送信号を受信する工程と、
受信された放送信号から映像信号または音声信号を復元する工程と、
前記信号処理手段で復元された映像信号または音声信号を外部に出力する出力手段と、
デジタルインターフェースを介して制御可能に接続された放送受信機能を有するデジタル機器が所定のチャンネルを選局している受信状態で、そのデジタル機器を特定する情報とその選局しているチャンネルを示す情報とを、予め用意された複数の登録欄に選択的に登録するための登録メニューを表示する工程と、
前記登録メニューに基づいて登録済となった登録欄から所定の登録欄を番号によって選択するための登録欄選択メニューを表示する工程と、
前記登録欄選択メニューに基づいて選択された登録欄に登録されたデジタル機器に、登録されたチャンネルを選局させる工程とを具備したことを特徴とする放送受信方法。
【請求項１３】
前記登録メニューによる登録欄への登録は、
それぞれに番号が付されて識別される複数の登録欄から所定の登録欄を選択するための登録欄選択操作メニューを表示する工程と、
前記登録欄選択操作メニューに基づいて選択された登録欄に、受信状態となされている前記デジタル機器を特定する情報とその選局しているチャンネルを示す情報とを登録するための情報登録操作メニューを表示する工程とを備えることを特徴とする請求項１２記載の放送受信方法。
【請求項１４】
前記登録欄選択メニューによる登録欄の選択は、
予め表示された複数の数字から所定の数字を選択するための数字選択操作メニューを表示する工程と、
前記数字選択操作メニューに基づいて選択された数字を登録欄の番号として決定するための番号決定操作メニューを表示する工程とを備えることを特徴とする請求項１２または１３記載の放送受信方法。
【請求項１５】
放送信号を受信する工程と、
受信された放送信号から映像信号または音声信号を復元する工程と、
復元された映像信号または音声信号を外部に出力する工程と、
デジタルインターフェースを介して制御可能に接続された放送受信機能を有するデジタル機器を選択するための機器選択メニューを表示する工程と、
前記機器選択メニューに基づいて選択されたデジタル機器に選局させるチャンネルの番号を入力するための番号入力メニューを表示する工程と、
前記機器選択メニューに基づいて選択されたデジタル機器に、前記番号入力メニューに基づいて入力された番号のチャンネルを選局させる工程と、
前記デジタル機器が所定のチャンネルを選局している受信状態で、そのデジタル機器を特定する情報とその選局しているチャンネルを示す情報とを、予め用意された複数の登録欄に選択的に登録するための登録メニューを表示する工程と、
前記登録メニューに基づいて登録済となった登録欄から所定の登録欄を番号によって選択するための登録欄選択メニューを表示する工程と、
前記登録欄選択メニューに基づいて選択された登録欄に登録されたデジタル機器に、登録されたチャンネルを選局させる工程とを具備したことを特徴とする放送受信方法。
【発明の詳細な説明】
【技術分野】
【０００１】
この発明は、例えば衛星デジタル放送や地上デジタル放送等を受信する放送受信装置及び放送受信方法に係り、特にＩＥＥＥ（the Institute of Electrical and Electronics Engineers，inc．）１３９４規格に準拠したデジタルインターフェース等を介して相互に接続されるものに関する。
【背景技術】
【０００２】
周知のように、近年では、ＩＥＥＥ１３９４規格に準拠したデジタルインターフェースにより、デジタル放送受信機及びデジタル記録再生機等のような各種のデジタル機器を、相互に自由な形態で接続［i.LINK（登録商標）接続］したネットワークシステムを構築することが可能になっている。
【０００３】
そして、この種のネットワークシステムにおいては、映像表示部が内蔵されること、または、映像表示機器が外付けされることにより、映像を表示させることができる機能を有する特定のデジタル機器から、他のデジタル機器を任意選択的に指定して、その動作を制御することが可能である。
【０００４】
一方、近年では、例えばテレビジョン放送等のデジタル化が推進されてきている。そして、日本国内においては、現行のＢＳ（Broadcasting Satellite）デジタル放送及び１１０度ＣＳ（Communication Satellite）デジタル放送等の衛星デジタル放送だけでなく、地上デジタル放送も開始される運びとなっている。
【０００５】
ところで、デジタル放送では、全ての放送方式を合わせると、数１００もの膨大な数のチャンネルが存在する。このため、デジタル放送受信機をネットワークシステムに接続することを考えた場合には、上記した特定のデジタル機器がデジタル放送受信機のチャンネル選局を制御する際に、その操作が煩雑にならないように配慮を施す必要がある。
【０００６】
特許文献１には、デジタル放送受信装置に対する、デジタル機器やデジタル記録メディア等からのデジタル信号入力と、アナログ機器からのアナログ信号入力と、デジタル放送信号入力との入力切り換えを、１つの入力切換キーのみで行なうように構成して、操作手段のキー数を減少させ操作性の簡易化を図ることが開示されている。
【０００７】
しかしながら、この特許文献１には、ネットワークシステムに接続された特定のデジタル機器が、同じネットワークシステムに接続されたデジタル放送受信機に対して、膨大な数のチャンネルから所望のチャンネルを選局させるように制御する際に、その操作が煩雑にならないようにすることについては、何らの記載もなされていないものである。
【特許文献１】特開２００３−１８４９５号公報
【発明の開示】
【発明が解決しようとする課題】
【０００８】
そこで、この発明は上記事情を考慮してなされたもので、同じネットワークシステムに接続された放送受信機能を有するデジタル機器に対して、容易な操作で所望のチャンネルを選局させることができ、ユーザにとっての操作性を向上させ得る放送受信装置及び放送受信方法を提供することを目的とする。
【課題を解決するための手段】
【０００９】
この発明に係る放送受信装置は、放送信号を受信する受信手段と、受信手段で受信された放送信号から映像信号または音声信号を復元する信号処理手段と、信号処理手段で復元された映像信号または音声信号を外部に出力する出力手段と、デジタルインターフェースを介して放送受信機能を有するデジタル機器に制御可能に接続される接続手段と、接続手段により接続されたデジタル機器を選択するための機器選択メニューを表示する機器選択メニュー表示手段と、機器選択メニューに基づいて選択されたデジタル機器に選局させるチャンネルの番号を入力するための番号入力メニューを表示する番号入力メニュー表示手段と、機器選択メニューに基づいて選択されたデジタル機器に、番号入力メニューに基づいて入力された番号のチャンネルを選局させる制御手段とを備えている。
【００１０】
また、この発明に係る放送受信方法は、放送信号を受信する工程と、受信された放送信号から映像信号または音声信号を復元する工程と、復元された映像信号または音声信号を外部に出力する工程と、デジタルインターフェースを介して制御可能に接続された放送受信機能を有するデジタル機器を選択するための機器選択メニューを表示する工程と、選択されたデジタル機器に選局させるチャンネルの番号を入力するための番号入力メニューを表示する工程と、機器選択メニューに基づいて選択されたデジタル機器に、番号入力メニューに基づいて入力された番号のチャンネルを選局させる工程とを備えている。
【発明の効果】
【００１１】
上記した発明によれば、デジタルインターフェースを介して制御可能に接続された放送受信機能を有する複数のデジタル機器から、機器選択メニューに基づいて選択した所定のデジタル機器に選局させるチャンネルの番号を、番号入力メニューに基づいて入力させるようにしたので、同じネットワークシステムに接続された放送受信機能を有するデジタル機器に対して、容易な操作で所望のチャンネルを選局させることができ、ユーザにとっての操作性を向上させることが可能となる。
【発明を実施するための最良の形態】
【００１２】
以下、この発明の実施の形態について図面を参照して詳細に説明する。図１は、この実施の形態で説明するデジタル放送受信機１１を示している。すなわち、地上デジタル放送用アンテナ１２で受信された高周波信号は、入力端子１３を介して地上放送用チューナ部１４に供給される。
【００１３】
この地上放送用チューナ部１４は、入力された高周波信号から所定周波数の信号成分を抽出し、その信号にダウンコンバート処理を施した後、復調部１５に出力している。この復調部１５は、入力信号（デジタル変調信号）に復調処理を施し、さらに、誤り訂正等の処理を施してＴＳ（Transport Stream）出力を生成している。
【００１４】
そして、この復調部１５から出力されたＴＳは、ＴＳ処理部１６に供給される。このＴＳ処理部１６は、入力されたＴＳからユーザが要求した映像及び音声に対応したストリームを分離し、デコード処理部１７に出力している。
【００１５】
このデコード処理部１７は、入力されたストリームにＭＰＥＧ（Moving Picture Experts Group）規格に準拠したデコード処理を施して、デジタル映像信号及びデジタル音声信号を生成している。また、このデコード処理部１７は、必要に応じて、入力されたストリームに対してデスクランブル処理を施すこともできる。
【００１６】
ここで、デコード処理部１７から出力されたデジタル音声信号は、音声出力部１８に供給されてＤ／Ａ（Digital／Analog）変換処理等が施されることによりアナログ音声信号に変換される。そして、この音声出力部１８から出力されたアナログ音声信号が、音声出力端子１９を介して、例えば外付けのスピーカ２０等に供給されることにより、音声再生に供される。
【００１７】
また、上記デコード処理部１７から出力されたデジタル映像信号は、グラフィックス処理部２１に供給されて、各種フォーマットへの変換処理や、ＯＳＤ（On Screen Display）表示のためのグラフィックスデータを重畳する処理等が施された後、Ｄ／Ａ変換処理が施されてアナログ映像信号に変換される。
【００１８】
そして、このグラフィックス処理部２１から出力されたアナログ映像信号が、映像出力端子２２を介して、例えば外付けのモニタ２３等に供給されることにより、映像表示に供される。
【００１９】
一方、衛星デジタル放送用アンテナ２４は、ＢＳデジタル放送及び１１０度ＣＳデジタル放送等の衛星デジタル放送を受信する。この衛星デジタル放送用アンテナ２４で受信された高周波信号は、入力端子２５を介して衛星放送用チューナ部２６に供給される。この衛星放送用チューナ部２６は、入力された高周波信号から所定周波数の信号成分を抽出し、その信号にダウンコンバート処理を施した後、復調部２７に出力している。
【００２０】
この復調部２７は、入力信号（デジタル変調信号）に復調処理を施し、さらに、誤り訂正等の処理を施してＴＳ出力を生成している。そして、この復調部２７から出力されたＴＳが、上記ＴＳ処理部１７に供給されて、以後、地上デジタル放送の場合と同様に映像表示及び音声再生に供される。
【００２１】
なお、上記ＴＳ処理部１６で分離された映像及び音声に対応するストリームは、ＨＤＤ（Hard Disk Drive）部２８に供給されてそのハードディスクに記録される。また、ハードディスクに記録されたストリームは、ＨＤＤ部２８により読み出されて、上記と同様に映像表示及び音声再生に供される。
【００２２】
ここで、このデジタル放送受信機１１は、上記した放送受信動作を含むその全ての動作を、ＣＰＵ（Central Processing Unit）２９によって統括的に制御されている。このＣＰＵ２９は、リモートコントローラ３０から送出された操作情報を受信部３１を介して受信し、その操作内容が反映されるように各回路部をそれぞれ制御している。
【００２３】
この場合、ＣＰＵ２９は、メモリ部３２を利用している。すなわち、このメモリ部３２は、ＣＰＵ２９が実行する制御プログラムを格納した読み出し専用メモリ、ＣＰＵ２９に作業エリアを提供する読み出し書き込みメモリ、各種の設定情報及び制御情報等が格納される不揮発性メモリ等を含んでいる。
【００２４】
また、このデジタル放送受信機１１は、外部接続端子３３を備えている。そして、この外部接続端子３３に、シリアルバス３４を介して、ＩＥＥＥ１３９４規格に準拠したデジタルインターフェース機能を有する複数（図示の場合は４つ）のデジタル機器を接続することにより、ネットワークシステムを構築することができる。
【００２５】
図１では、デジタル機器として、Ｄ−ＶＨＳ（Digital−Video Home System）３５、２つのデジタルチューナ３６，３７及びＨＤＤ３８を例示している。そして、上記ＣＰＵ２９は、リモートコントローラ３０から送出された操作情報に基づいて、Ｄ−ＶＨＳ３５、デジタルチューナ３６，３７及びＨＤＤ３８等を選択的に制御することが可能である。
【００２６】
この場合、ＣＰＵ２９は、リモートコントローラ３０からの操作情報を受け、Ｄ−ＶＨＳ３５、デジタルチューナ３６，３７及びＨＤＤ３８等を選択的に制御するための制御情報を生成し、その制御情報をＡＶ／Ｃ（Audio Video／Control）コマンドとして、ＩＥＥＥ１３９４規格に準拠したデジタルＩ／Ｆ（Inter／Face）部３９、外部接続端子３３及びシリアルバス３４を介して、Ｄ−ＶＨＳ３５、デジタルチューナ３６，３７及びＨＤＤ３８等に送信することにより、それらを選択的に制御することができる。
【００２７】
図２は、上記リモートコントローラ３０の外観を示している。このリモートコントローラ３０には、主として、電源キー４０、i.LINKキー４１、ワンタッチ選局キー群４２、受信モード切替キー群４３、チャンネルアップダウンキー４４、音量調整キー４５、戻るキー４６、終了キー４７、移動キー４８、決定キー４９及びメニューキー５０等が設置されている。このうち、ワンタッチ選局キー群４２は、「１」〜「１２」の番号が付された１２個のワンタッチ選局キーで構成されている。
【００２８】
次に、図３は、上記のように構成されたデジタル放送受信機１１を介して、ネットワークシステムに接続された他のデジタルチューナ３６，３７に所望のチャンネルを選局させる動作の一例を示している。
【００２９】
すなわち、上記リモートコントローラ３０のi.LINKキー４１が操作されることによって、処理が開始（ステップＳ１）されると、ＣＰＵ２９は、ステップＳ２で、機器選択メニューをモニタ２３に表示させる。
【００３０】
この機器選択メニューは、図４に示すように、外部接続端子３３に接続されている全てのデジタル機器（Ｄ−ＶＨＳ３５、デジタルチューナ３６，３７及びＨＤＤ３８）をリスト表示する表示領域５１を有している。
【００３１】
この表示領域５１は、外部接続端子３３に接続されている全てのデジタル機器（Ｄ−ＶＨＳ３５、デジタルチューナ３６，３７及びＨＤＤ３８）をそれぞれ表示した、複数の項目５１ａ〜５１ｄに分割されている。
【００３２】
この場合、項目５１ａがＤ−ＶＨＳ３５に対応し、項目５１ｂがデジタルチューナ３６に対応し、項目５１ｃがデジタルチューナ３７に対応し、項目５１ｄがＨＤＤ３８に対応しているものとする。
【００３３】
そして、ユーザは、この表示領域５１の中で、リモートコントローラ３０の移動キー４８を操作して任意のデジタル機器に対応する項目５１ａ〜５１ｂを選択し、決定キー４９を操作することにより、所望のデジタル機器を選定することができる。
【００３４】
また、この機器選択メニューには、決定キー４９が操作されることにより選定されたデジタル機器、または、まだ決定キー４９の操作によって選定されておらず、移動キー４８によって選択されているだけのデジタル機器に対して、そのメーカ名を表示する項目５１ｅ、機器名を表示する項目５１ｆ、また、選択されたデジタル機器がデジタルチューナである場合には、そのチューナが現在選局しているチャンネルを表示する項目５１ｇ等が表示される。
【００３５】
なお、上記移動キー４８による項目５１ａ〜５１ｄの選択は、例えば、移動キー４８の操作に基づいて、カーソルが各項目５１ａ〜５１ｄ間を移動するような形態、いずれか１つの項目が他の項目に比べて発光状態になる形態、いずれか１つの項目が他の項目と表示色が異なる状態になる形態等、種々の形態が考えられる。
【００３６】
そして、上記した機器選択メニューにより、デジタルチューナ３６または３７が選定された場合、ＣＰＵ２９は、ステップＳ３で、チャンネル番号入力メニューをモニタ２３に表示させる。このチャンネル番号入力メニューは、図５に示すように、番号入力の項目５２ａと、１，２，……，９，０なる１０個の数字を示す項目５２ｂと、詳細は後述するが登録／削除を示す項目５２ｃとを表示させている。
【００３７】
このチャンネル番号入力メニューにおいて、ユーザは、リモートコントローラ３０の移動キー４８を操作して番号入力の項目を選択し、決定キー４９を操作する。すると、決定キーを操作する毎に、先に選定されたデジタルチューナ３６または３７の受信モードが、ＢＳデジタル放送、１１０度ＣＳデジタル放送、地上デジタル放送の順序で循環的に切り替えられるようになる。
【００３８】
なお、デジタルチューナ３６または３７が対応していない放送は、スキップされる。また、切り替えられた受信モードは、チューナが現在選局しているチャンネルを表示する項目５１ｇを見ることで認識することができる。
【００３９】
このようにして、受信モードが決定されると、ユーザは、リモートコントローラ３０の移動キー４８を操作して、数字を示す項目５２ｂの中から所望の１つの番号を選択し、決定キー４９を操作することにより、選局するチャンネルの番号を入力する。
【００４０】
ＢＳデジタル放送及び１１０度ＣＳデジタル放送の場合、チャンネル番号は３桁であるから、ユーザは、移動キー４８を操作して数字を示す項目５１ｉの中から１つの番号を選択し決定キー４９を操作するという作業を３回繰り返すことにより、チャンネル番号を入力することができる。
【００４１】
また、地上デジタル放送の場合、チャンネル番号は、主番号が３桁でそれに１桁の枝番号が付されるので、合計４桁となる。このため、ユーザは、移動キー４８を操作して数字を示す項目５２ｂの中から１つの番号を選択し決定キー４９を操作するという作業を４回繰り返すことにより、チャンネル番号を入力することができる。
【００４２】
そして、上記したチャンネル番号入力メニューに基づいて、受信モード及びチャンネル番号が設定されると、ＣＰＵ２９は、選定されたデジタルチューナ３６または３７に対して、設定された受信モード及びチャンネル番号での選局を行なわせるように制御して、処理を終了（ステップＳ４）する。
【００４３】
ここで、上記したデジタル放送受信機１１によるデジタルチューナ３６または３７の選局動作は、デジタル放送受信機１１がデジタルチューナ３６，３７のi.LINK接続時に取得した選局情報に基づいて行なわれる。この選局情報は、相手機器の選局をネットワーク上から行なうために必要なコントロール情報を特定するための情報である。
【００４４】
ＩＥＥＥ１３９４規格のＡＶ／Ｃコマンド（チューナコマンド）を実装した機器で、日本国内対応のデジタル放送受信機であればＡＲＩＢ（Association of Radio Industries and Businesses）に規格化されており、他機器によって選局を制御される機能を持つ必要がある。
【００４５】
具体的な項目としては、相手機器の特定としてＧＵＩＤ（６４ビットの１台毎に区別される番号）と、選局処理としてネットワークＩＤ、サービスＩＤ（ＢＳ／１１０度ＣＳの場合）、remote_control_key_idに対応するデータ（bouquet_id：地上デジタルのみ）とが必要になる。ＩＥＥＥ１３９４バスに接続されている機器ならば、通常はコマンドのやり取りで取得することが可能である。
【００４６】
上記のような構成によれば、デジタル放送受信機１１を介して、ネットワークシステムに接続されたデジタルチューナ３６または３７に所望のチャンネルを選局させる際に、選局させるチャンネルを、ＢＳデジタル放送及び１１０度ＣＳデジタル放送では３桁、地上デジタル放送では４桁のチャンネル番号で直接入力することができる。
【００４７】
このため、同じネットワークシステムに接続されたデジタルチューナ３６または３７が受信可能な膨大な数のチャンネルの中から、所望のチャンネルを容易な操作で選局することができるようになり、ユーザにとっての操作性を向上させることができる。
【００４８】
また、上記した選局方式における、数字を示す項目５２ｂの中から１つの番号を選択し決定キー４９を操作するという作業を繰り返すことにより、チャンネル番号を入力するという操作に代えて、リモートコントローラ３０のワンタッチ選局キー群４２を操作して３または４桁のチャンネル番号を入力するようにしても良いものである。
【００４９】
次に、図６は、デジタル放送受信機１１により、ネットワークシステムに接続されたデジタルチューナ３６，３７に所望のチャンネルを選局させる動作の他の例を示している。なお、図６において、図３と同一ステップには同一符号を付して示している。
【００５０】
すなわち、ステップＳ２で表示された機器選択メニューに基づいて、例えばデジタルチューナ３６が選定され、ステップＳ３で表示されたチャンネル番号入力メニューに基づいて、例えばＢＳデジタル放送の１０３チャンネルが選局されたとする。
【００５１】
このように、デジタルチューナ３６でＢＳデジタル放送の１０３チャンネルを選局している状態で、ユーザは、リモートコントローラ３０の移動キー４８を操作して登録／削除の項目５２ｃを選択し、決定キー４９を操作する。
【００５２】
すると、ＣＰＵ２９は、ステップＳ５で、登録メニューをモニタ２３に表示させる。この登録メニューは、現在選定しているデジタルチューナ３６とその受信モードと選局しているチャンネルとを、チャンネル番号入力メニューで表示された数字を示す項目５２ｂの中のいずれかの番号に対応付けて登録するための操作メニューである。
【００５３】
具体的に言えば、この登録メニューは、図７に示すように、数字を示す項目５２ｂの中に表示されている番号「１」〜「１２」にそれぞれ対応した１２個の登録欄５３ａ〜５３ｌを表示させている。
【００５４】
この登録欄５３ａ〜５３ｌは、１度に４つまでが表示可能であり、リモートコントローラ３０の移動キー４８を操作して上下スクロールさせることによって、必要な欄を選択的に表示することができる。
【００５５】
そして、ユーザは、リモートコントローラ３０の移動キー４８を操作して、空きのある登録欄を選択し、決定キー４９を操作する。これにより、ＣＰＵ２９は、現在選定しているデジタル機器がデジタルチューナ３６であることを示す情報と、その受信モードがＢＳデジタル放送であることを示す情報と、選局しているチャンネル番号が１０３であることを示す情報とを、選択された登録欄に登録することができる。
【００５６】
なお、１つの登録欄５３ａ〜５３ｌには、受信モードと選局されているチャンネルの番号とが表示される。選定されているデジタルチューナ３６については、ネットワークシステムに接続されているデジタル機器のリストを表示するための表示領域５１の中の対応する項目５１ｂを、他の項目５１ａ，５１ｃ，５１ｄとは形態を異ならせて表示することにより、ユーザが認識可能となる。
【００５７】
図７に示した例では、番号「１」に対応する登録欄５３ａに、ＢＳデジタル放送であることと、選局しているチャンネルの番号が１０３であることとが表示されている。なお、この登録内容は、上記メモリ部３２の不揮発性メモリに記憶される。
【００５８】
上記のような登録が行なわれると、以後、ユーザは、リモートコントローラ３０の移動キー４８を操作して、数字を示す項目５２ｂの中の番号「１」を選択し、決定キー４９を操作するだけで、デジタルチューナ３６にＢＳデジタル放送の１０３チャンネルを受信させることができる。
【００５９】
また、ユーザが、ステップＳ２で表示された機器選択メニューに基づいて、例えばデジタルチューナ３７を選定し、ステップＳ３で表示されたチャンネル番号入力メニューに基づいて、例えば１１０度ＣＳデジタル放送の００１チャンネルを選局する。
【００６０】
この状態で、ユーザが、リモートコントローラ３０の移動キー４８を操作して登録／削除の項目５２ｃを選択し決定キー４９を操作して登録メニューを表示させ、その登録欄５３ａ〜５３ｌの中から空きのある登録欄として番号「２」が付されたワンタッチ選局キーに対応する登録欄５３ｂを選択し、決定キー４９を操作したとする。
【００６１】
すると、この選択された登録欄５３ｂに、現在選定しているデジタル機器がデジタルチューナ３７であることを示す情報と、その受信モードが１１０度ＣＳデジタル放送であることを示す情報と、選局しているチャンネル番号が００１であることを示す情報とが登録される。
【００６２】
図７では、番号「２」が付されたワンタッチ選局キーに対応する登録欄５３ｂに、１１０度ＣＳデジタル放送であることと、選局しているチャンネルの番号が００１であることとが表示されている。
【００６３】
上記のような登録が行なわれると、以後、ユーザは、リモートコントローラ３０の移動キー４８を操作して、数字を示す項目５２ｂの中の番号「２」を選択し、決定キー４９を操作するだけで、デジタルチューナ３７に１１０度ＣＳデジタル放送の００１チャンネルを受信させることができる。
【００６４】
なお、リモートコントローラ３０の移動キー４８を操作して、数字を示す項目５２ｂの中のいずれかの番号が選択されているだけの状態、つまり、まだ決定キー４９が操作されていない状態においては、その選択されている番号に登録されている受信モードとチャンネルとを示す項目５２ｄが表示されるようになっている。
【００６５】
上記のような構成によれば、数字示す項目５２ｂの中の各番号「１」〜「１２」に対して、それぞれ、ネットワークシステムに接続されているデジタルチューナ３６，３７を特定する情報と、そのデジタルチューナ３６，３７の受信モードを特定する情報と、受信するチャンネルを特定する情報とを対応させて登録することができるようにしている。
【００６６】
このため、ユーザは、所望の番号「１」〜「１２」を選択して決定キー４９を操作するだけで、特定のデジタルチューナ３６，３７に特定の受信モードで特定のチャンネルを容易に選局させることができるようになり、ユーザにとっての操作性を向上させることができる。
【００６７】
また、上記したように、数字を示す項目５２ｂの中から１つの番号を選択し、決定キー４９を操作することでダイレクトに選局を行なうことに代えて、リモートコントローラ３０のワンタッチ選局キー群４２の中の特定の番号のワンタッチ選局キーを操作することにより、ダイレクト選局が行なえるようにしても良いものである。
【００６８】
なお、上記したダイレクト選局の例では、ネットワークシステムに接続されたデジタルチューナ３６，３７に対して登録を行なうようにしたが、デジタル放送の受信機能を備え受信モードと選局するチャンネルとを指定することができるデジタル機器であれば、例えばＤ−ＶＨＳ、ＨＤＤ、光ディスクドライブ等であっても登録を行なうことができる。
【００６９】
また、図８に示すように、上記した登録メニューの最後の登録欄５３ｌ、つまり、番号「１２」に対応する登録欄５３ｌの次には、「すべて削除」の項目５３ｍが表示される。ユーザが、リモートコントローラ３０の移動キー４８を操作して「すべて削除」の項目５３ｍを選択し、決定キー４９を操作することにより、各番号「１」〜「１２」に対応する登録欄５３ａ〜５３ｌにおける全ての登録内容を一括して消去することができる。
【００７０】
さらに、登録メニューにおいて、ユーザが、リモートコントローラ３０の移動キー４８を操作して、登録済のいずれか１つの登録欄５３ａ〜５３ｌを選択し、決定キー４９を操作することで、その登録欄の登録内容を個別に消去することが可能である。
【００７１】
なお、この発明は上記した実施の形態そのままに限定されるものではなく、実施段階ではその要旨を逸脱しない範囲で構成要素を種々変形して具体化することができる。
【００７２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７３】
【図１】この発明の実施の形態を示すもので、デジタル放送受信機を説明するために示すブロック構成図。
【図２】同デジタル放送受信機に使用されるリモートコントローラの詳細を説明するために示す平面図。
【図３】同デジタル放送受信機における選局動作の一例を説明するために示すフローチャート。
【図４】同デジタル放送受信機における選局動作の一例で表示される機器選択メニューの一例を説明するために示す図。
【図５】同デジタル放送受信機における選局動作の一例で表示されるチャンネル番号入力メニューの一例を説明するために示す図。
【図６】同デジタル放送受信機における選局動作の他の例を説明するために示すフローチャート。
【図７】同デジタル放送受信機における選局動作の他の例で表示される登録メニューの一例を説明するために示す図。
【図８】同デジタル放送受信機の選局動作の他の例における登録内容を一括削除する操作の一例を説明するために示す図。
【符号の説明】
【００７４】
１１…デジタル放送受信機、１２…地上デジタル放送用アンテナ、１３…入力端子、１４…地上放送用チューナ、１５…復調部、１６…ＴＳ処理部、１７…デコード処理部、１８…音声出力部、１９…音声出力端子、２０…スピーカ、２１…グラフィックス処理部、２２…映像出力端子、２３…モニタ、２４…衛星デジタル放送用アンテナ、２５…入力端子、２６…衛星放送用チューナ、２７…復調部、２８…ＨＤＤ部、２９…ＣＰＵ、３０…リモートコントローラ、３１…受信部、３２…メモリ部、３３…外部接続端子、３４…シリアルバス、３５…Ｄ−ＶＨＳ、３６，３７…デジタルチューナ、３８…ＨＤＤ、３９…デジタルＩ／Ｆ部、４０…電源キー、４１…i.LINKキー、４２…ワンタッチ選局キー群、４３…受信モード切替キー群、４４…チャンネルアップダウンキー、４５…音量調整キー、４６…戻るキー、４７…終了キー、４８…移動キー、４９…決定キー、５０…メニューキー。
【図１】
2005117335.tif 000003
【図２】
2005117335.tif 000004
【図３】
2005117335.tif 000005
【図４】
2005117335.tif 000006
【図５】
2005117335.tif 000007
【図６】
2005117335.tif 000008
【図７】
2005117335.tif 000009
【図８】
2005117335.tif 000010